(57)【要約】【課題】  従来の加工刃物では、刃先に大きな負荷が加わったとき、台金の先端が開いてしまい、そこに切屑が詰まってしまうなどの問題が生じ、耐久的に健全な切削加工を行なうことができなかった。【解決手段】  先端に多数の切刃チップａ〜ｋを配設した円盤状の台金２ａ〜２ｋを設け、これら台金２ａ〜２ｋを多数枚重ねて切削刃物Ａを構成すると共に、上記台金２ａ〜２ｋの全部若しくは隣り合う複数枚のものにおいて、その一側および他側に配置したものに、外側に向けて大きく開くテーパ状の受穴４ａ、４ｋをそれぞれ設け、その他のものに両受穴を連通する挿通穴４を設けると共に、上記の受穴４ａに嵌合するテーパ頭６をもち、かつ内部にナット部を設けたナット体５と、同じく受穴４ｋに嵌合するテーパ頭１０をもち、かつ伸長部にネジ部１１を突設したネジ軸９とを設け、これらナット体５とネジ軸９によって構成した締結部材Ｂを、前記挿通穴４を通して螺合する。【選択図】  図１
2012218133.tif 000002
【特許請求の範囲】
【請求項１】
先端に多数の切刃チップを配設した円盤状の台金を設け、これら台金を多数枚重ねて切削刃物を構成すると共に、上記台金の全部若しくは隣り合う複数枚のものにおいて、その一側および他側に配置したものに、外側に向けて大きく開くテーパ状の受穴をそれぞれ設け、その他のものに両受穴を連通する挿通穴を設けると共に、上記の受穴に嵌合するテーパ頭をもち、かつ内部にナット部を設けたナット体と、同じく受穴に嵌合するテーパ頭をもち、かつ伸長部にネジ部を突設したネジ軸とを設け、これらナット体とネジ軸によって構成した締結部材を、前記挿通穴を通して螺合したことを特徴とする切削加工用刃物。
【発明の詳細な説明】
【技術分野】
【０００１】
本発明は、多数の切刃チップを有する円盤状の台金を多数枚重ね合わせて構成した切削加工用刃物に関するものである。
【背景技術】
【０００２】
切削負荷の軽減、メンテナンスの容易化などを図る目的から、多数枚のチップソーを厚さ方向に重ね合わせ、これらによって１ユニットの切削刃物を構成する技術が特許文献１に記載されている。そして、上記のチップソー群を厚さ方向において固定するためにネジ手段を用いることもこの文献によって明らかにされている。
【先行技術文献】
【特許文献】
【０００３】
【特許文献１】特公昭４５−６５７８号
【発明の概要】
【発明が解決しようとする課題】
【０００４】
上記した従来の文献では、台金厚さが幾分大きいおが屑取り鋸１０５の一枚に対して、外側に位置する縁仕上鋸１０６のみを螺釘１０８で固定するものであって、厚さ方向の全体を一体化するものではない。このため、金属切削のような場合において、刃先に大きな負荷が加わると、台金の先端が開いてしまい、そこに切屑が詰まってしまうなどの問題が生ずる。
【０００５】
本発明は、このような従来技術の問題点を解決しようとするものであり、大きな切削負荷が作用した場合においても、台金間に開きがなく耐久的に健全な切削加工を行なうことができるようにした切削加工用刃物を提供せんとするものである。
【課題を解決するための手段】
【０００６】
上記の目的を達成するために、本発明に係る切削加工用刃物は、先端に多数の切刃チップを配設した円盤状の台金を設け、これら台金を多数枚重ねて切削刃物を構成すると共に、上記台金の全部若しくは隣り合う複数枚のものにおいて、その一側および他側に配置したものに、外側に向けて大きく開くテーパ状の受穴をそれぞれ設け、その他のものに両受穴を連通する挿通穴を設けると共に、上記の受穴に嵌合するテーパ頭をもち、かつ内部にナット部を設けたナット体と、同じく受穴に嵌合するテーパ頭をもち、かつ伸長部にネジ部を突設したネジ軸とを設け、これらナット体とネジ軸によって構成した締結部材を、前記挿通穴を通して螺合したことを特徴とするものである。
【発明の効果】
【０００７】
このように構成した課題解決手段によれば、円盤状台金を強固に締め付けて一体的に固定することができる。このため、切削負荷が大きく作用しても開きがなく、耐久的に健全な切削加工を行なうことができるという優れた効果を発揮する。
【図面の簡単な説明】
【０００８】
【図１】本発明に係る切削加工用刃物の一実施例の構成を示す縦断側面である。
【図２】同じく、多刃刃物の構成を示す正面図である。
【図３】刃物構成を拡大して示す一部縦断側面図である。
【図４】締結部材の構成を示す説明図である。
【図５】本発明に係る切削加工用刃物の第２実施例を示す一部縦断側面図である。
【図６】従来の切削加工用刃物の説明図である。
【発明を実施するための形態】
【０００９】
以下、本発明に係る切削加工用刃物の実施形態を説明する。図１〜図３において、１a〜１ｋは薄い円盤状の台金２a〜２ｋと、その外周に配設した多数の切刃チップa〜ｋからなる多刃刃物  この多刃刃物１a〜１ｋは、多数枚（実施例では１１枚）を厚さ方向に重ね合わせた状態で一つの切削加工刃物Aを構成する。３は各台金２a〜２ｋの中心部に設けた取付穴（図２参照）である。
【００１０】
上記の各多刃刃物１a〜１ｋは、同じ厚さであるが次第に直径を小さくして配設してあり、切刃チップa〜ｋが描く切削周面は滑らかに連続した截頭円錐形状である。なお、ここでは各多刃刃物１a〜１ｋの厚さは全て同じにしたが、それぞれ異なってもよい。このときの切刃チップa〜ｋの厚さ寸法は、台金の厚さに順ずるものとする。
【００１１】
４ａは一側の多刃刃物１ａにおける台金２ａの外周部付近に穿設したテーパ頭状の受穴  この受穴４ａは、外側に向けて大きく開口するように形成してあり、台金２ａの中心から放射状に複数個（実施例では６個）を設ける。
【００１２】
４ｋは他側の多刃刃物１ｋにおける台金２ｋの外周部近くに穿設したテーパ状の受穴  この受穴４ｋは、前記した受穴４ａと同様にして外側に向けて大きく開くように形成してあり、台金２ｋの中心から放射状に設ける。
【００１３】
４は、上記した多刃刃物１ａ、１ｋ以外の多刃刃物１ｂ〜１ｊの台金２ｂ〜２ｊに設けた多数の挿通穴  これら挿通穴は、上記の受穴４ａ、４ｋに対応する位置に設けてあり、一連の直線状穴を形成する。
【００１４】
５は一方の受穴４ａに嵌合するテーパ頭６と、テーパ頭６から伸長する円筒部７をもち、内部にナット部８を設けたナット体（図４参照）  上記の円筒部７は、前記した挿通穴４に緊密に嵌合する直径を有する。８はテーパ頭６の端部に設けたスパナ掛である。
【００１５】
９は他方の受穴４ｋに嵌合するテーパ頭１０と、テーパ頭１０からナット体５側に突出するネジ部１１とを有するネジ軸  １２はテーパ頭１０の端部に設けたスパナ掛である。なお前記のナット体５とネジ軸９は、両者によって締結部材Ｂを構成する。
【００１６】
次に、１５は一端に固定フランジ１６を、他端に締付ナット１７を螺合した中空軸状のアダプタ軸  このアダプタ軸１５には、台金２ａ〜２ｋの受穴３によって多数の多刃刃物１ａ〜１ｋを装着し、重ね合わせた状態でセットする。このアダプタ軸２０と多刃刃物１ａ〜１ｋとは、図示省略のキー部材によって回り止め措置されている。
【００１７】
１８は切削加工装置（図示省略）のスピンドル  １９はスピンドル１８の先端に設けたアダプタ軸１５の取付軸部  ２０はワッシャー部材２１を介してアダプタ軸１５をスピンドル１８固定する固定ネジである。なお上記のアダプタ軸１５と各多刃刃物１a〜１ｋとはキー手段（図示省略）によって回り止め措置がされている。
【００１８】
以上のように構成した切削加工刃物は、一側の多刃刃物１ａの台金２ａと他側の台金２ｋに設けた受穴４ａ、４ｋにそれぞれナット体５とネジ軸９を嵌装し、両者をレンチによって締め付けることで台金２ａ〜２ｋを一体的に固定することができる。そして、このことで多刃刃物１ａ〜１ｋにおける切削負荷による開きをなくすることができる。
【００１９】
次に図５は、本発明に係る切削加工用刃物の第２実施例を示したものであり、切削周面の勾配が大きい截頭円錐形刃物に適用されるものである。
【００２０】
すなわち、この場合においては、一側の台金２ａと他側の台金２ｋとの直径差が大きく、一つの締結部材Ｂだけでは直径の大きい側（一側の台金２ａ側）において強固な締結力が得られず、開きが生ずる。
【００２１】
上記の課題を解消するために、第２実施例では第１の締結部材Ｂに加えて第２の締結部材Ｃを施したものである。この締結部材Ｃは、直径の大きい台金２ａ〜２ｄに対して作用するものである。同図において、５ａはナット体  ９ａはネジ軸であり、ネジ軸９ａのテーパ頭１０ａは隣接する台金２ｅと干渉しないように埋没状に構成してある。
【００２２】
なお上記の第２の実施例において、前記第１の実施例で説明した部分と同一のものは同じ符号をもって示してあり、重複した説明を省略する。
【００２３】
また上記の第１および第２の実施例では、全ての台金２ａ〜２ｋを１つの締結部材Ｂによって１つに締付固定したものである。しかしながら、例えば台金群を３つのグループ（台金２ａ〜２ｄ、台金２ｅ〜２ｇ、台金２ｈ〜２ｋ）に分け、これらを各別の締結部材によって締め付け固定し、そしてこれらをアダプタ軸によってまとめるようにしても良い。
【００２４】
また上記の第１および第２の実施例では、截頭円錐形状の切削周面をもつ切削加工刃物に適用して説明したが、円筒状の切削周面をもつもの、曲面状の切削周面をもつものなどにおいても例外なく適用できる。
【符号の説明】
【００２５】
Ａ    加工刃物
１a〜１ｋ  多刃刃物
２a〜２ｋ  台金
３    取付穴
４ａ  テーパ状の受穴
４ｋ  テーパ状の受穴
４    挿通穴
５    ナット体
６    テーパ頭
７    円筒部
９    ネジ軸
１０    テーパ頭
１１    ネジ部
Ｂ    締結部材
１５    アダプタ軸
５ａ  ナット体
９ａ  ネジ軸
１０ａ  テーパ頭
Ｃ    締結部材
【図１】
2012218133.tif 000003
【図２】
2012218133.tif 000004
【図３】
2012218133.tif 000005
【図４】
2012218133.tif 000006
【図５】
2012218133.tif 000007
【図６】
2012218133.tif 000008